(57)【要約】  【課題】  水に放熱して湯を生成する熱源の放熱効率を低下させないようにすること。  【解決手段】循環回路６０中を循環している間に熱源により生成される湯の温度が所定値を越えた場合、前記湯を、前記循環回路６０をバイパスして、放熱回路６２中を循環させて冷却するようにした、温水器。【選択図】  図１
2008064395.tif 000002
【特許請求の範囲】
【請求項１】
機器の放熱部に設置の熱回収装置により生成された湯が循環する循環回路に貯湯タンクを介設し、前記貯湯タンクに接続された水栓から前記湯を吐出させる温水器において、前記循環回路に放熱回路を並設し、前記湯の温度が所定値を越えると、前記湯は、前記貯湯タンクをバイパスして、前記放熱回路を循環するようにした、温水器。
【請求項２】
前記熱回収装置はウオータジャケットである、請求項１記載の温水器。
【請求項３】
前記機器は、圧縮機及びヒートポンプの何れかである、請求項１記載の温水器。
【請求項４】
前記ヒートポンプは、パルス管冷凍機及びスターリング冷凍機の何れかである、請求項３記載の温水器。
【請求項５】
循環ポンプ、機器の放熱部に設置の熱回収装置、第１電磁開閉弁及び貯湯タンクを適宜、直列接続して構成し、前記第１電磁開閉弁の開放時に、前記熱回収装置で生成された湯が前記循環ポンプの圧送作用により循環する循環回路と、
前記熱回収装置と前記第１電磁開閉弁の間から第２電磁開閉弁を介して、前記循環回路から分岐接続され、所定操作による前記第１電磁開閉弁の閉塞及び前記第２電磁開閉弁の開放に伴い前記湯が吐水するようにした水栓と、
前記貯湯タンク内の湯の温度を検知する温度センサと、
放熱器及び第３電磁開閉弁を、適宜、直列接続して構成し、前記第１電磁開閉弁及び前記第２電磁開閉弁の双方の閉塞と同時に前記第３電磁開閉弁が開放された時に、前記循環ポンプの圧送作用により前記湯が循環する放熱回路と、
前記貯湯タンク内の前記湯の水位を検知する水位センサと、
前記水位センサが検知する前記湯の水位が所定値以下の時に開放されて給水源から前記前記貯湯タンク内に所定量の水を補給せしめる第４電磁開閉弁とを備えた、温水器。
【請求項６】
前記熱回収装置は、ウオータジャケットである、請求項５記載の温水器。
【請求項７】
前記機器は、圧縮機及びヒートポンプの何れかである、請求項５記載の温水器。
【請求項８】
前記ヒートポンプは、パルス管冷凍機及びスターリング冷凍機の何れかである、請求項７記載の温水器。
【発明の詳細な説明】
【技術分野】
【０００１】
本発明は、湯を生成する温水器に関するものであり、更に詳しくは、機器の排熱を水に放熱して湯を生成する温水器に関するものである。
【背景技術】
【０００２】
従来のこの種の温水器、例えば特許文献１に開示されたものにおいては、家庭用冷蔵庫の冷媒圧縮用の圧縮機からの発熱を熱源とし、この熱エネルギーを利用して温水が生成されている。具体的には、この温水器においては、圧縮機からの発熱を吸熱する手段と、貯湯タンクと、前記吸熱する手段と貯湯タンクとを繋ぐパイプと、該パイプの途中に配置された循環ポンプと前記圧縮機の動作に同期して開く電磁弁とから湯が循環する循環回路が構成されており、この湯が、貯湯タンクの給湯口から取り出されるようになっている。
【特許文献１】特開２０００−３０４４３２号公報
【発明の開示】
【発明が解決しようとする課題】
【０００３】
特許文献１に開示された装置においては、圧縮機の発熱（排熱）を利用して湯を生成する考えは、省エネルギーの観点のみからは高く評価されるべきである。しかし、循環する湯の温度が高くなるにつれて圧縮機の放熱効率が低下するので、これが、圧縮機自体の能力低下につながり、実用上の問題がある。
【０００４】
それ故に、本発明は、かかる不具合を除去した温水器を提供することを、技術的課題とするものである。
【課題を解決するための手段】
【０００５】
上記の課題を解決するために講じた技術的手段は、請求項１に記載のように、
「機器の放熱部に設置の熱回収装置により生成された湯が循環する循環回路に貯湯タンクを介設し、前記貯湯タンクに接続された水栓から前記湯を吐出させる温水器において、前記循環回路に放熱回路を並設し、前記湯の温度が所定値を越えると、前記湯は、前記貯湯タンクをバイパスして、前記放熱回路を循環するようにした、温水器」
を構成したことである。
【発明の効果】
【０００６】
請求項１及び５の発明によれば、湯が所定温度になると、湯が、循環回路をバイパスして、放熱回路を循環し、その間に、冷却される。従って、温度が所定値を越える湯が機器の放熱部と熱接触することによる、放熱部の放熱効率の低下が低減される。
【発明を実施するための最良の形態】
【０００７】
以下、本発明に係る温水器装置の一実施形態を添付図面にもとづいて説明する。
【０００８】
図１において、温水器１０は、循環ポンプ１２を備える。循環ポンプ１２の吐出側は、機器１４の放熱部１４ａに設置された、ウオータジャケット１６の入口に接続される。機器１４としては、冷蔵庫（図示略）の圧縮機を採用することができる。また、圧縮機に代えて、ヒートポンプ（パルス管冷凍機やスターリング冷凍機）を採用しても良い。これは、パルス管冷凍機やスターリング冷凍機のようなヒートポンプを用いて、冷凍や冷却する場合があるからである。
【０００９】
ウオータジャケット１６の出口は、第１電磁開閉弁１８を介して、貯湯タンク２０の一方側（図の下側）に接続され、貯湯タンク２０の他方側（図の上側）は、循環ポンプ１２の吸入側に接続される。しかして、ウオータジャケット１６の出口と第１電磁開閉弁１８の間の箇所は、第２電磁開閉弁２２を介して、水栓２４に接続される。水栓２４は、流し台２６に設置され、そのシンク２８を指向する。
【００１０】
ウオータジャケット１６の出口は、また、第３電磁開閉弁３０を介して、放熱器たるラジエタ３２の入口に接続される。ラジエタ３２の出口は、循環ポンプ１２の吸入側に接続される。
【００１１】
貯湯タンク２０の一方側（図の下側）は、また、第４電磁開閉弁３４を介して、給水源３６に接続される。しかして、貯湯タンク２０の内部には、湯温を検知する温度センサ４０及び湯の水位を検知する水位センサ４２が設置されている。
【００１２】
循環ポンプ１２、第１電磁開閉弁１８、第２電磁開閉弁２２、第３電磁開閉弁３０、第４電磁開閉弁３４、温度センサ４０、水位センサ４２及び水栓センサ４４は、マイコン（図示略）を中核とする制御装置５０に電気的に接続されている。尚、制御装置５０への通電は、電源５２からなされる。
【００１３】
上記したように、循環ポンプ１２、機器１４の放熱部１４ａに設置の熱回収装置たるウオータジャケット１６、第１電磁開閉弁１８及び貯湯タンク２０は直列接続されて、循環回路６０を構成する。また、放熱器及び第３電磁開閉弁を直列接続して構成される放熱回路６２が、循環ポンプ１２の吸入側とウオータジャケット３２の出口との間に接続される。
【００１４】
温水器１０は、具体的な図示は省略するが、ユニットとして、流し台２６の下側の空間に設置される。設置時前は、第１電磁開閉弁１８、第２電磁開閉弁２２、第３電磁開閉弁３０及び第４電磁開閉弁３４は、全て、閉じられている。設置後、制御装置５０は、所定時間だけ第４電磁開閉弁３４を開いて、給水源から水を貯湯タンク２０に導入して、第４電磁開閉弁３４の下流側に位置する循環回路６０（含：貯湯タンク２０）及び放熱回路６２に水を充填させる。この充填に必要な所定時間は、事前に設定されて、マイコンの制御プログラムに記憶されている。
【００１５】
次いで、制御装置５０は、第１電磁開閉弁１８を開く同時に循環ポンプ１２を作動させる。循環ポンプ１２の作動により、水は、循環ポンプ１２、機器１４の放熱部１４ａに設置のウオータジャケット１６、第１電磁開閉弁１８及び貯湯タンク１２をループ的に直列接続され構成される循環回路６０を循環する。水がウオータジャケット１６を通過する際に、機器１４の放熱部１４ａからの熱により、この水は加温され、循環している間に、所定温度の湯が生成される。しかして、機器１４が流し台２６の下側空間に設置された冷蔵庫の圧縮機である場合、温水器１０の設置後に当該冷蔵庫は連日連夜、通電作動されるので、湯は、終日利用可能となる（スターリング冷凍機やパルス管冷凍機を用いた冷蔵庫や冷凍装置を用いても同様）。
【００１６】
水栓２４近傍のスイッチ４４を操作すると、その旨が制御装置５０に伝えられる。そして、第１電磁開閉弁１８が閉じられると同時に第２電磁開閉弁２２が開かれて、それまでは循環ポンプ１２の圧送作用により循環回路６０内を循環していた湯が、開かれた第２電磁開閉弁２２を通過して水栓２４に至り、水栓２４から吐出される。次いで、水栓２４近傍のスイッチ４４を、再度操作すると、制御装置５０は、第２電磁開閉弁２２を閉じると同時に第１電磁開閉弁１８を開く。これにより、湯は、再度、循環ポンプ１２の圧送作用により循環回路６０内を循環するようになる。
【００１７】
水栓２４からの湯の吐出に伴い、貯湯タンク２０内の湯の量は、減少する。しかして、貯湯タンク２０内の湯の量は、水位センサ４２により検知されて、リアルタイムに制御装置５０に送られている。もし、貯湯タンク２０内の湯の量が所定量を下回った場合、制御装置５０は、第４電磁開閉弁３４を開いて、貯湯タンク２０内に水を導入・補填し、しかる後に、第４電磁開閉弁３４を閉じる。
【００１８】
また、循環回路６０内を循環する湯の温度は、貯湯タンク２０内に設置された温度センサ４０により常時検知され、その値が制御装置５０に送られることにより、制御装置５０より常時監視されている。もし、貯湯タンク２０内の湯温が所定値を越えた場合、制御装置５０は、第１電磁開閉弁１８を閉じると同時に第３電磁開閉弁３０を開く。すると、ウオータジャケット１６を出た湯は、開かれた第３電磁開閉弁３０、ラジエタ３２及び循環ポンプ１２を介して再度、ウオータジャケット１６に帰還するが、湯がラジエタ３２を通過するたびに湯が空冷されるので、かような湯の放熱循環が所定回数だけ繰り返されると、湯温が低下し、制御装置５０は、第３電磁開閉弁２０を閉じると共に第１電磁開閉弁１８を開く。
【００１９】
しかして、湯の温度が所定値を越えて機器１４の放熱部１４ａの温度に近接すると、この湯と機器１４の放熱部１４ａとの熱接触が放熱部１４ａの放熱効率の低下を惹起させる危惧があるが、上記の湯の放熱循環により、湯の温度と機器１４の放熱部１４ａの温度との乖離が促進され、かような不具合は惹起されない。
【００２０】
尚、上記の湯の放熱循環中、貯湯タンク２０内の湯は循環ポンプ１２に吸引されて放熱循環回路６２に組み込まれる。これにより、貯湯タンク２０内の湯が減少するが、貯湯タンク２０内の湯の量が所定量を下回った場合、制御装置５０は、第４電磁開閉弁３４を開いて、貯湯タンク２０内に水を導入・補填し、しかる後に、第４電磁開閉弁３４を閉じる。この水の導入・補填により、貯湯タンク２０内の湯温が低下して、制御装置５０は、第３電磁開閉弁２０を閉じると共に第１電磁開閉弁１８を開く。
【００２１】
以上述べたように、本発明の実施形態の一例においては、湯が所定温度になると、湯が、循環回路６０をバイパスして、放熱回路６２を循環し、その間に、冷却される。従って、温度が所定値を越える湯が機器１４の放熱部１４ａと熱接触することによる、放熱部１４ａの放熱効率の低下が惹起されることはない。
【００２２】
尚、所定温度になった湯が循環回路６０をバイパスして、放熱回路６２を循環し、その間に冷却される効果が惹起される限り、循環回路６０を構成する循環ポンプ１２、機器１４の放熱部１４ａに設置の熱回収装置たるウオータジャケット１６、第１電磁開閉弁１８及び貯湯タンク２０の配列順序は、適宜、変更しても良いし、放熱回路６２を放熱器たるラジエタ３２及び第３電磁開閉弁３０の配列順序も、適宜、変更しても良い。
【図面の簡単な説明】
【００２３】
【図１】本発明に係る温水器の一実施形態例の構成を示すブロック図である。
【符号の説明】
【００２４】
１０：温水器
１２：循環ポンプ
１４：機器
１４ａ：放熱部
１６：ウオータジャケット（熱回収装置）
１８：第１電磁開閉弁
２０：貯湯タンク
２２：第２電磁開閉弁
２４：水栓
３０：第３電磁開閉弁
３４：第４電磁開閉弁
４０：温度センサ
４２：水位センサ
６０：循環回路
６２：放熱回路
【図１】
2008064395.tif 000003